(57)【要約】本発明は、すべての移動局にリアル・タイム・ロケーション・サービスを提供するのにＰＨＳパケットＩＰ接続を使用する、ＰＨＳ網内のロケーティングおよびアシスタント・ロケーティングの方法および装置を提案する。本発明では、ロケーション・サービスは、音声回線占有を伴わずにＰＨＳパケットＩＰ接続を使用し、より重要なことに、本発明は、すべてのＰＨＳパケット加入者にリアル・タイム・ロケーション・サービスを提供する。本発明に基づいて、ＣＳＩＤならびに経度および緯度の情報を含むがこれに限定はされない地理情報が、端から端までのＰＨＳパケットＩＰ接続時に送信される。さらに、本発明は、より魅力的なロケーション・ベースのサービス（リアル・タイム・トレーシング、ナビゲーションその他など）を提供することができる。
2011511521.tif 000002
【特許請求の範囲】
【請求項１】
ＰＨＳ網の移動局でのロケーティングの方法であって、
ａ．ＰＨＳロケーション・サーバにＩＰパケットを介して第１ロケーション要求を送信するステップを含み、前記第１ロケーション要求は、前記移動局のＰＳＥＮおよび前記移動局を取り巻く複数のセル・サイトのＣＳＩＤを含み、さらに、
ｂ．前記ＰＨＳロケーション・サーバからＩＰパケットを介して第１ロケーション応答を受信するステップを含み、前記第１ロケーション応答は前記移動局の関連地理情報を含む、方法。
【請求項２】
前記第１ロケーション要求は、前記移動局のサービス・キーおよび前記セル・サイトにそれぞれが対応する前記移動局の複数の信号強度をさらに含み、
前記第１ロケーション応答は、前記移動局の前記サービス・キーをさらに含む、請求項１に記載の方法。
【請求項３】
ＰＨＳ網の移動局でのアシスタント・ロケーティングの方法であって、
Ａ．ＩＰパケットを介してＰＨＳロケーション・サーバから第２ロケーション要求を受信するステップと、
Ｃ．ＩＰパケットを介して前記ＰＨＳロケーション・サーバに第２ロケーション応答を送信するステップとを含み、前記第２ロケーション応答は、前記移動局を取り巻く複数のセル・サイトのＣＳＩＤを含む、方法。
【請求項４】
前記ステップＡの後、前記ステップＣの前に、
Ｂ１．前記第２ロケーション要求からロケーション・サービス・リクエスタの要求ＩＤを取り出すステップをさらに含み、前記第２ロケーション要求は、前記ロケーション・サービス・リクエスタの前記要求ＩＤを含み、さらに、
Ｂ２．前記ロケーション・サービス・リクエスタの前記要求ＩＤに従って前記ロケーション・サービス・リクエスタを認証するステップを含み、
前記ステップｃは、
−前記ロケーション・サービス・リクエスタに関する前記認証が成功である場合に、第２ロケーション応答をＩＰパケットを介して前記ＰＨＳロケーション・サーバに送信するステップを含み、前記第２ロケーション応答は、前記移動局を取り巻く複数のセル・サイトのＣＳＩＤを含む、請求項３に記載の方法。
【請求項５】
前記第２ロケーション要求は、前記移動局のサービス・キーをさらに含み、
前記第２ロケーション応答は、前記移動局の前記サービス・キーおよび前記セル・サイトにそれぞれが対応する前記移動局の複数の信号強度をさらに含む、請求項３または４に記載の方法。
【請求項６】
ＰＨＳ網のＰＨＳロケーション・サーバでのロケーティングの方法であって、
ｉ．移動局からＩＰパケットを介して第１ロケーション要求を受信するステップを含み、前記第１ロケーション要求は、前記移動局のＰＳＥＮおよび前記移動局を取り巻く複数のセル・サイトのＣＳＩＤを含み、さらに、
ｉｉ．前記第１ロケーション要求内の前記移動局を取り巻く複数のセル・サイトの前記ＣＳＩＤに基づいて、前記移動局の関連地理情報を入手するステップと、
ｉｉｉ．ＩＰパケットを介して第１ロケーション応答を前記移動局に送信するステップとを含み、前記第１ロケーション応答は前記移動局の前記関連地理情報を含む、方法。
【請求項７】
前記ステップｉｉは、
ｉｉ１．前記第１ロケーション要求から前記移動局を取り巻く前記セル・サイトの前記ＣＳＩＤを取り出すステップと、
ｉｉ２．前記移動局を取り巻く前記セル・サイトの前記ＣＤＳＩＤに基づいて前記移動局を取り巻く前記セル・サイトの地理情報を入手するステップと、
ｉｉ３．前記移動局を取り巻く前記セル・サイトの前記地理情報に基づいて前記移動局の前記関連地理情報を計算するステップとをさらに含む、請求項６に記載の方法。
【請求項８】
前記第１ロケーション要求は、前記移動局のサービス・キーおよび前記セル・サイトにそれぞれが対応する前記移動局の複数の信号強度をさらに含み、
前記第１ロケーション応答は、前記移動局の前記サービス・キーをさらに含む、請求項６または７に記載の方法。
【請求項９】
ＰＨＳ網のＰＨＳロケーション・サーバでのアシスタント・ロケーティングの方法であって、
Ｉ．アプリケーション・サーバによって再送信されたＩＰパケットを介してロケーション・サービス要求を受信するステップを含み、前記ロケーション・サービス要求は、移動局の関連地理情報を要求するのに使用され、さらに、
ＩＩ．ＩＰパケットを介して第２ロケーション要求を前記移動局に送信するステップと、
ＩＩＩ．ＩＰパケットを介して前記移動局から第２ロケーション応答を受信するステップとを含み、前記第２ロケーション応答は、前記移動局を取り巻く複数のセル・サイトのＣＳＩＤを含み、さらに、
ＩＶ．前記第２ロケーション応答内の前記移動局を取り巻く前記セル・サイトの前記ＣＳＩＤに基づいて、前記移動局の関連地理情報を入手するステップと、
Ｖ．ＩＰパケットを介して前記アプリケーション・サーバに前記移動局の前記関連地理情報を送信するステップとを含む、方法。
【請求項１０】
前記ステップＩＶは、
ＩＶ１．前記第２ロケーション要求から前記移動局を取り巻く前記セル・サイトの前記ＣＳＩＤを取り出すステップと、
ＩＶ２．前記移動局を取り巻く前記セル・サイトの前記ＣＳＩＤに基づいて前記移動局を取り巻く前記セル・サイトの地理情報を入手するステップと、
ＩＶ３．前記移動局を取り巻く前記セル・サイトの前記地理情報に基づいて前記移動局の前記関連地理情報を計算するステップとをさらに含む、請求項９に記載の方法。
【請求項１１】
前記第２ロケーション要求は、ロケーション・サービス・リクエスタの要求ＩＤおよび前記移動局のサービス・キーをさらに含み、
前記第２ロケーション応答は、前記移動局の前記サービス・キーをさらに含む、請求項９または１０に記載の方法。
【請求項１２】
ＰＨＳ網の移動局でのロケーティングのための第１ロケーティング装置であって、
ＩＰパケットを介して第１ロケーション要求をＰＨＳロケーション・サーバに送信する第１送信手段を含み、前記第１ロケーション要求は、前記移動局のＰＳＥＮおよび前記移動局を取り巻く複数のセル・サイトのＣＳＩＤを含み、さらに、
ＩＰパケットを介して第１ロケーション応答を前記ＰＨＳロケーション・サーバから受信する第１受信手段を含み、前記第１ロケーション応答は前記移動局の関連地理情報を含む、第１ロケーティング装置。
【請求項１３】
ＰＨＳ網の移動局でのアシスタント・ロケーティングのための第１アシスタント・ロケーティング装置であって、
ＩＰパケットを介してＰＨＳロケーション・サーバから第２ロケーション要求を受信する第２受信手段と、
ＩＰパケットを介して前記ＰＨＳロケーション・サーバに第２ロケーション応答を送信する第２送信手段とを含み、前記第２ロケーション応答は、前記移動局を取り巻く複数のセル・サイトのＣＳＩＤを含む、第１アシスタント・ロケーティング装置。
【請求項１４】
ＰＨＳ網のＰＨＳロケーション・サーバでのロケーティングのための第２ロケーティング装置であって、
ＩＰパケットを介して移動局から第１ロケーション要求を受信する第３受信手段を含み、前記第１ロケーション要求は、前記移動局のＰＳＥＮおよび前記移動局を取り巻く複数のセル・サイトのＣＳＩＤを含み、さらに、
前記第１ロケーション要求内の前記移動局を取り巻く複数のセル・サイトの前記ＣＳＩＤに基づいて、前記移動局の関連地理情報を入手する第１入手手段と、
ＩＰパケットを介して前記移動局に第１ロケーション応答を送信する第３送信手段とを含み、前記第１ロケーション応答は前記移動局の前記関連地理情報を含む、第２ロケーティング装置。
【請求項１５】
ＰＨＳ網のＰＨＳロケーション・サーバでのロケーティングのための第２アシスタント・ロケーティング装置であって、
アプリケーション・サーバによって再送信されたＩＰパケットを介してロケーション・サービス要求を受信する第４受信手段を含み、前記ロケーション・サービス要求は、移動局の関連地理情報を要求するのに使用され、さらに、
ＩＰパケットを介して前記移動局に第２ロケーション要求を送信する第４送信手段と、
ＩＰパケットを介して前記移動局から第２ロケーション応答を受信する第５受信手段とを含み、前記第２ロケーション応答は、前記移動局を取り巻く複数のセル・サイトのＣＳＩＤを含み、さらに、
前記第２ロケーション応答内の前記移動局を取り巻く前記セル・サイトの前記ＣＳＩＤに基づいて、前記移動局の関連地理情報を入手する第３入手手段と、
ＩＰパケットを介して前記アプリケーション・サーバに前記移動局の前記関連地理情報を送信する第５送信手段とを含む、第２アシスタント・ロケーティング装置。
【発明の詳細な説明】
【技術分野】
【０００１】
本発明は、ＰＨＳ網に関し、具体的には、ＰＨＳ網内の移動局およびＰＨＳロケーション・サーバ（ｌｏｃａｔｉｏｎ  ｓｅｒｖｅｒ）に関する。
【背景技術】
【０００２】
今日、ＰＨＳは、中国で急速に発展し、１００万カ所を超えるＰＨＳセル・サイトおよび９０００万台のＰＨＳ携帯電話機が中国にある。ＰＨＳは、マイクロ・セル・テクノロジを使用するので、同一面積をカバーするために設置される他の無線ネットワークより多数のセル・サイトがある。この利点を利用するために、ＰＨＳセル・サイト・ベースのロケーション・サービス（ｌｏｃａｔｉｏｎ  ｓｅｒｖｉｃｅ）が、中国で導入されている（日本ウィルコム社は、前もってこれを行った）。ロケーティングおよびナビゲーションの分解能は、都市区域でＧＰＳが提供したものとほぼ同一のレベルにある。
【０００３】
既存ＰＨＳロケーション・サービスは、ＰＨＳショート・メッセージを介して実施される。ＣＳＩＤ（Ｃｅｌｌ  Ｓｉｔｅ  Ｉｄｅｎｔｉｆｙ）が、ＰＨＳショート・メッセージを介して要求され、その後、別のＰＨＳショート・メッセージを介して、戻って転送される。これは、多数のＰＨＳショート・メッセージにＰＨＳ音声呼回線リソースを占有させ、さらに、行き来するショート・メッセージを介してデータを得るために、データ消失または計り知れない遅延があるはずである。
【０００４】
図１は、ＰＨＳ網内のＰＨＳショート・メッセージに基づく既存のロケーション・サービスの概略図であり、この図は、移動局１、複数のセル・サイト５、ＰＨＳスイッチ２、ＰＨＳショート・メッセージ・サーバ３、およびＰＨＳロケーション・サーバ４を含む。現在のＰＨＳロケーション・サービスは、ＰＨＳロケーション・サーバ４と移動局１との間でロケーション・データを交換するのに、２つのＰＨＳショート・メッセージを使用する。
【０００５】
具体的に言うと、移動局１は、特別にフォーマットされたＰＨＳショート・メッセージをＰＨＳスイッチ２に送信し、ＰＨＳスイッチ２は、その特別にフォーマットされたＰＨＳショート・メッセージをＰＨＳショート・メッセージ・サーバ３に再送信し、ここで、特別にフォーマットされたＰＨＳショート・メッセージは、アクセス番号および移動局１を取り巻く複数のセル・サイトのＣＳＩＤを含む。次に、ＰＨＳショート・メッセージ・サーバ３は、その特別にフォーマットされたＰＨＳショート・メッセージをどのサーバに送信すべきかを示すアクセス番号に従って、その特別にフォーマットされたＰＨＳショート・メッセージをＰＨＳロケーション・サーバ４に送信する。その特別にフォーマットされたＰＨＳショート・メッセージを受信した後に、ＰＨＳロケーション・サーバ４は、その特別にフォーマットされたＰＨＳショート・メッセージから移動局１を取り巻く複数のセル・サイトのＣＳＩＤを取り出し、移動局１を取り巻く複数のセル・サイトのＣＳＩＤに基づいて入手される移動局１を取り巻く複数のセル・サイトの地理情報に基づいて移動局１の関連地理情報を計算する。最後に、ＰＨＳロケーション・サーバ４は、移動局１の関連地理情報を、もう１つのＰＨＳショート・メッセージを介して移動局１に送信する。
【０００６】
明らかに、ＰＳＨ網の既存のロケーション・サービスは、多数のＰＨＳショート・メッセージにＰＨＳ音声呼回線リソースを占有させ、さらに、ＰＨＳショート・メッセージは、通信プロセス全体の中で配送を保証されず、特に重い呼負荷の下で、計り知れない長い遅延がある。
【発明の概要】
【課題を解決するための手段】
【０００７】
このために、本発明は、すべての移動局（ＰＨＳパケット電話機、パケット・モードを有するＰＤＡ、パケットＣＦカードを有するラップトップ機などを含むＰＨＳパケット加入者）にリアル・タイム・ロケーション・サービスを提供するのにＰＨＳパケットＩＰ接続を使用する、ＰＨＳ網内のロケーティングおよびアシスタント・ロケーティングの方法および装置を提案する。
【０００８】
本発明の第１の態様によれば、ＰＨＳ網の移動局でのロケーティングの方法であって、ａ．ＰＨＳロケーション・サーバにＩＰパケットを介して第１ロケーション要求を送信するステップであって、前記第１ロケーション要求は、前記移動局のＰＳＥＮおよび前記移動局を取り巻く複数のセル・サイトのＣＳＩＤを含む、送信するステップと、ｂ．前記ＰＨＳロケーション・サーバからＩＰパケットを介して第１ロケーション応答を受信するステップであって、前記第１ロケーション応答は、前記移動局の関連地理情報を含む、受信するステップとを含む方法が提供される。
【０００９】
本発明の第２の態様によれば、ＰＨＳ網の移動局でのアシスタント・ロケーティングの方法であって、Ａ．ＩＰパケットを介してＰＨＳロケーション・サーバから第２ロケーション要求を受信するステップと、Ｃ．ＩＰパケットを介して前記ＰＨＳロケーション・サーバに第２ロケーション応答を送信するステップであって、前記第２ロケーション応答は、前記移動局を取り巻く複数のセル・サイトのＣＳＩＤを含む、送信するステップとを含む方法が提供される。
【００１０】
本発明の第３の態様によれば、ＰＨＳ網のＰＨＳロケーション・サーバでのロケーティングの方法であって、ｉ．移動局からＩＰパケットを介して第１ロケーション要求を受信するステップであって、前記第１ロケーション要求は、前記移動局のＰＳＥＮおよび前記移動局を取り巻く複数のセル・サイトのＣＳＩＤを含む、受信するステップと、ｉｉ．前記第１ロケーション要求内の前記移動局を取り巻く複数のセル・サイトの前記ＣＳＩＤに基づいて、前記移動局の関連地理情報を入手するステップと、ｉｉｉ．ＩＰパケットを介して第１ロケーション応答を前記移動局に送信するステップであって、前記第１ロケーション応答は、前記移動局の前記関連地理情報を含む、送信するステップとを含む方法が提供される。
【００１１】
本発明の第４の態様によれば、ＰＨＳ網のＰＨＳロケーション・サーバでのアシスタント・ロケーティングの方法であって、Ｉ．アプリケーション・サーバによって再送信されたＩＰパケットを介してロケーション・サービス要求を受信するステップであって、前記ロケーション・サービス要求は、移動局の関連地理情報を要求するのに使用される、受信するステップと、ＩＩ．ＩＰパケットを介して第２ロケーション要求を前記移動局に送信するステップと、ＩＩＩ．ＩＰパケットを介して前記移動局から第２ロケーション応答を受信するステップであって、前記第２ロケーション応答は、前記移動局を取り巻く複数のセル・サイトのＣＳＩＤを含む、受信するステップと、ＩＶ．前記第２ロケーション応答内の前記移動局を取り巻く前記セル・サイトの前記ＣＳＩＤに基づいて、前記移動局の関連地理情報を入手するステップと、Ｖ．ＩＰパケットを介して前記アプリケーション・サーバに前記移動局の前記関連地理情報を送信するステップとを含む方法が提供される。
【００１２】
本発明の第５の態様によれば、ＰＨＳ網の移動局でのロケーティングのための第１ロケーティング装置であって、ＩＰパケットを介して第１ロケーション要求をＰＨＳロケーション・サーバに送信する第１送信手段であって、前記第１ロケーション要求は、前記移動局のＰＳＥＮおよび前記移動局を取り巻く複数のセル・サイトのＣＳＩＤを含む、第１送信手段と、ＩＰパケットを介して第１ロケーション応答を前記ＰＨＳロケーション・サーバから受信する第１受信手段であって、前記第１ロケーション応答は、前記移動局の関連地理情報を含む、第１受信手段とを含む第１ロケーティング装置が提供される。
【００１３】
本発明の第６の態様によれば、ＰＨＳ網の移動局でのアシスタント・ロケーティングのための第１アシスタント・ロケーティング装置であって、ＩＰパケットを介してＰＨＳロケーション・サーバから第２ロケーション要求を受信する第２受信手段と、ＩＰパケットを介して前記ＰＨＳロケーション・サーバに第２ロケーション応答を送信する第２送信手段であって、前記第２ロケーション応答は、前記移動局を取り巻く複数のセル・サイトのＣＳＩＤを含む、第２送信手段とを含む第１アシスタント・ロケーティング装置が提供される。
【００１４】
本発明の第７の態様によれば、ＰＨＳ網のＰＨＳロケーション・サーバでのロケーティングのための第２ロケーティング装置であって、ＩＰパケットを介して移動局から第１ロケーション要求を受信する第３受信手段であって、前記第１ロケーション要求は、前記移動局のＰＳＥＮおよび前記移動局を取り巻く複数のセル・サイトのＣＳＩＤを含む、第３受信手段と、前記第１ロケーション要求内の前記移動局を取り巻く複数のセル・サイトの前記ＣＳＩＤに基づいて、前記移動局の関連地理情報を入手する第１入手手段と、ＩＰパケットを介して前記移動局に第１ロケーション応答を送信する第３送信手段であって、前記第１ロケーション応答は、前記移動局の前記関連地理情報を含む、第３送信手段とを含む第２ロケーティング装置が提供される。
【００１５】
本発明の第８の態様によれば、ＰＨＳ網のＰＨＳロケーション・サーバでのロケーティングのための第２アシスタント・ロケーティング装置であって、アプリケーション・サーバによって再送信されたＩＰパケットを介してロケーション・サービス要求を受信する第４受信手段であって、前記ロケーション・サービス要求は、移動局の関連地理情報を要求するのに使用される、第４受信手段と、ＩＰパケットを介して前記移動局に第２ロケーション要求を送信する第４送信手段と、ＩＰパケットを介して前記移動局から第２ロケーション応答を受信する第５受信手段であって、前記第２ロケーション応答は、前記移動局を取り巻く複数のセル・サイトのＣＳＩＤを含む、第５受信手段と、前記第２ロケーション応答内の前記移動局を取り巻く前記セル・サイトの前記ＣＳＩＤに基づいて、前記移動局の関連地理情報を入手する第３入手手段と、ＩＰパケットを介して前記アプリケーション・サーバに前記移動局の前記関連地理情報を送信する第５送信手段とを含む第２アシスタント・ロケーティング装置が提供される。
【００１６】
本発明では、ロケーション・サービスは、音声回線占有を伴わずにＰＨＳパケットＩＰ接続を使用し、より重要なことに、本発明は、すべての移動局（すべてのＰＨＳパケット加入者）にリアル・タイム・ロケーション・サービスを提供する。本発明に基づいて、ＣＳＩＤならびに経度および緯度の情報を含むがこれに限定はされない地理情報が、端から端までのＰＨＳパケットＩＰ接続時に送信される。さらに、本発明は、より魅力的なロケーション・ベースのサービス（リアル・タイム・トレーシング、ナビゲーションその他など）を提供することができる。
【図面の簡単な説明】
【００１７】
【図１】ＰＨＳ網内のＰＨＳショート・メッセージに基づく既存のロケーション・サービスを示す概略図である。
【図２】本発明によるＰＨＳ網内のＰＨＳパケットＩＰ接続に基づくロケーション・サービスを示す系統的な流れ図である。
【図３】本発明によるＰＨＳ網内のＰＨＳパケットＩＰ接続に基づくアシスタント・ロケーション・サービス（ａｓｓｉｓｔａｎｔ  ｌｏｃａｔｉｏｎ  ｓｅｒｖｉｃｅ）を示す系統的な流れ図である。
【図４】本発明の実施形態によるＰＨＳ網の移動局でのロケーティングの方法を示す流れ図である。
【図５】本発明の実施形態によるＰＨＳ網の移動局でのアシスタント・ロケーティング（ａｓｓｉｓｔａｎｔ  ｌｏｃａｔｉｎｇ）の方法を示す流れ図である。
【図６】本発明の実施形態によるＰＨＳ網のＰＨＳロケーション・サーバでのロケーティングの方法を示す流れ図である。
【図７】本発明の実施形態によるＰＨＳ網のＰＨＳロケーション・サーバでのアシスタント・ロケーティングの方法を示す流れ図である。
【図８】本発明の実施形態によるＰＨＳ網の移動局でのロケーティングのための第１ロケーティング装置を示すブロック図である。
【図９】本発明の実施形態によるＰＨＳ網の移動局でのロケーティングのための第１アシスタント・ロケーティング装置を示すブロック図である。
【図１０】本発明の実施形態によるＰＨＳ網のＰＨＳロケーション・サーバでのロケーティングのための第２ロケーティング装置を示すブロック図である。
【図１１】本発明の実施形態によるＰＨＳ網のＰＨＳロケーション・サーバでのロケーティングのための第２アシスタント・ロケーティング装置を示すブロック図である。
【発明を実施するための形態】
【００１８】
添付図面を参照して、詳細な説明を、実施形態に関して本発明に対して与える。本発明が、これらの実施形態に限定されないことを理解されたい。
【００１９】
本発明では、２種類のロケーティング方法（アクティブ・ロケーティング方法およびパッシブ・ロケーティング方法）がある。アクティブ・ロケーティング方法に関して、移動局が、ロケーション要求を開始し、パッシブ・ロケーティング方法に関して、ＰＨＳロケーション・サーバが、アプリケーション・サーバからロケーション・サービス要求を受信し、その後、ロケーション要求を開始する。
【００２０】
下では、図２および図３を参照して、上で述べた２つのロケーティング方法を詳細に説明する。
【００２１】
（Ａ）アクティブ・ロケーティング方法
図２は、本発明によるＰＨＳ網内のＰＨＳパケットＩＰ接続に基づくロケーション・サービスの系統的な流れ図である。
【００２２】
図２に示されているように、移動局１は、ＰＨＳスイッチ２およびＰＨＳパケット・サーバ３を介してＰＨＳロケーション・サーバ４に、ＩＰパケット内にカプセル化されるなど、ＩＰパケットを介して第１ロケーション要求を送信する。
【００２３】
ＰＨＳスイッチ２およびＰＨＳパケット・サーバ３は、移動局１およびＰＨＳロケーション・サーバ４にとって透過的である。ＰＨＳスイッチ２は、スイッチおよびセル・ステーション（ｃｅｌｌ  ｓｔａｔｉｏｎ）システムを含むスイッチング・ネットワークを示す。ＰＨＳパケット・サーバ３は、ＩＰ接続を提供するのに使用され、このＩＰ接続は、ネットワーク内のメディア・ゲートウェイと同等である。具体的に言うと、このＩＰ接続は、ＰＨＳスイッチ内で使用される回線交換をパケット交換に変更するのに使用される。
【００２４】
第１ロケーション要求は、移動局１のＰＳＥＮ、移動局１を取り巻く複数のセル・サイトのＣＳＩＤを含む。
【００２５】
第１ロケーション要求内の移動局１のＰＳＥＮは、第１ロケーション要求に対応するロケーション応答が送信されるべき移動局をＰＨＳロケーション・サーバ４に通知するのに使用され、第１ロケーション要求内の移動局１を取り巻く複数のセル・サイトのＣＳＩＤは、移動局１の地理情報または移動局１を取り巻くある場所の地理情報を計算するのに使用できるインジケータである。
【００２６】
好ましくは、第１ロケーション要求は、移動局１のＰＳＥＮ、移動局１を取り巻く複数のセル・サイトのＣＳＩＤ、移動局１のサービス・キー（ｓｅｒｖｉｃｅ  ｋｅｙ）、およびそれぞれがセル・サイトに対応する移動局１の複数の信号強度を含むことができる。
【００２７】
その点で、それぞれがセル・サイトに対応する移動局１の複数の信号強度は、移動局１と移動局１を取り巻く複数のセル・サイトとの間の距離に比例し、この距離は、移動局１を取り巻くセル・サイトの地理情報に基づいて移動局１の関連地理情報をより正確に計算するためにＰＨＳロケーション・サーバ４によって使用される。
【００２８】
移動局１のサービス・キーは、移動局１がどのサービスを必要とするのかをＰＨＳロケーション・サーバ４に知らせるのに使用される。サービスは、トレーシング、ナビゲーション、またはある場所のロケーティングを含むが、これに限定はされない。
【００２９】
移動局１が、ＩＰパケットを介してＰＨＳロケーション・サーバ４に第１ロケーション要求を送信した後に、ＰＨＳロケーション・サーバ４は、移動局１からＩＰパケットを介して第１ロケーション要求を受信し、第１ロケーション要求から移動局１を取り巻くセル・サイトのＣＳＩＤを取り出す。
【００３０】
次に、ＰＨＳロケーション・サーバ４は、移動局１を取り巻くセル・サイトのＣＳＩＤに基づいて移動局１を取り巻くセル・サイトの地理情報を入手し、所定の算術（中央値法など）に従って、移動局１を取り巻くセル・サイトの地理情報に基づいて移動局１の関連地理情報を計算する。
【００３１】
その点で、関連地理情報は、移動局１の地理情報または移動局１を取り巻くある場所（映画館またはレストランなど）の地理情報を含む。
【００３２】
移動局１の関連地理情報を計算した後に、ＰＨＳロケーション・サーバ４は、移動局１の関連地理情報（移動局１の地理情報または移動局１を取り巻くある場所の地理情報）を含む第１ロケーション応答をＩＰパケットを介して移動局１に送信する。
【００３３】
好ましくは、第１ロケーション応答は、移動局１の関連地理情報および移動局１のサービス・キーのサービス・キーを含むことができる。第１ロケーション応答が移動局１のサービス・キーを含むときに、それが、第１ロケーション要求が移動局１のサービス・キーを含まなければならないことを意味することを理解されたい。
【００３４】
最後に、移動局１は、移動局１の関連地理情報（移動局１の地理情報または移動局１を取り巻くある場所の地理情報）を含む第１ロケーション応答をＩＰパケットを介してＰＨＳロケーション・サーバ４から受信し、移動局１の地理情報または移動局１を取り巻くある場所の地理情報を第１ロケーション応答から取り出す。
【００３５】
（Ｂ）パッシブ・ロケーティング方法
図３は、本発明によるＰＨＳ網内のＰＨＳパケットＩＰ接続に基づくアシスタント・ロケーション・サービスの系統的な流れ図である。
【００３６】
図３に示されているように、ＰＨＳロケーション・サーバ４’は、アプリケーション・サーバによって再送信されたＩＰパケットを介してロケーション・サービス要求を受信し、その点で、ロケーション・サービス要求は、移動局１’の関連地理情報を要求するのに使用される。
【００３７】
アプリケーション・サーバによって再送信されたＩＰパケットを介してロケーション・サービス要求を受信した後に、ＰＨＳロケーション・サーバ４’は、第２ロケーション要求をＩＰパケットを介して移動局１’に送信する。
【００３８】
ＰＨＳロケーション・サーバ４’が、ＩＰパケットを介して移動局１’に第２ロケーション要求を送信した後に、移動局１’は、ＰＨＳロケーション・サーバ４’からそれぞれＰＨＳスイッチ２’およびＰＨＳパケット・サーバ３’によって再送信されたＩＰパケットを介して第２ロケーション要求を受信する。
【００３９】
ＰＨＳスイッチ２’およびＰＨＳパケット・サーバ３’は、移動局１’およびＰＨＳロケーション・サーバ４’にとって透過的である。ＰＨＳスイッチ２’は、スイッチおよびセル・ステーション・システムを含むスイッチング・ネットワークを示す。ＰＨＳパケット・サーバ３’は、ＩＰ接続を提供するのに使用され、このＩＰ接続は、ネットワーク内のメディア・ゲートウェイと同等である。具体的に言うと、このＩＰ接続は、ＰＨＳスイッチ内で使用される回線交換をパケット交換に変更するのに使用される。
【００４０】
好ましくは、第２ロケーション要求は、ＰＨＳロケーション・サーバ４’のサービス・キーを含むことができる。
【００４１】
より好ましくは、第２ロケーション要求は、ロケーション・サービス・リクエスタの要求ＩＤをさらに含むことができる。
【００４２】
下では、移動局１’が２つの情況（一方は、第２ロケーション要求は、ロケーション・サービス・リクエスタの要求ＩＤを含まず、他方は、第２ロケーション要求は、ロケーション・サービス・リクエスタの要求ＩＤを含む）に従って実行する次のステップを、それぞれ説明する。
【００４３】
（ａ）第２ロケーション要求がロケーション・サービス・リクエスタの要求ＩＤを含まない情況
第２ロケーション要求がロケーション・サービス・リクエスタの要求ＩＤを含まない場合には、移動局１’は、ロケーション・サービス・リクエスタを認証せずに、第２ロケーション要求に従ってＰＨＳロケーション・サーバ４’に第２ロケーション応答を直接に送信する。
【００４４】
（ｂ）第２ロケーション要求がロケーション・サービス・リクエスタの要求ＩＤを含む情況
第２ロケーション要求がロケーション・サービス・リクエスタの要求ＩＤを含む場合には、移動局１’は、第２ロケーション要求からロケーション・サービス・リクエスタの要求ＩＤを取り出し、次に、ロケーション・サービス・リクエスタの要求ＩＤに従ってロケーション・サービス・リクエスタを認証する。
【００４５】
一実施形態では、移動局１’は、すべての認可されたロケーション・サービス・リクエスタの要求ＩＤを格納するデータベースを含むことができる。移動局１’は、第２ロケーション要求からロケーション・サービス・リクエスタの要求ＩＤを取り出した後に、ロケーション・サービス・リクエスタの要求ＩＤをデータベースに格納されたすべての認可された要求ＩＤと比較して、ロケーション・サービス・リクエスタが認可されたリクエスタであるかどうかを判定する。
【００４６】
ロケーション・サービス・リクエスタの認証が成功である（ロケーション・サービス・リクエスタが認可されたリクエスタであることを意味する）場合には、移動局１’は、第２ロケーション応答をＩＰパケットを介してＰＨＳロケーション・サーバ４’に送信する。
【００４７】
第２ロケーション応答は、移動局１’を取り巻く複数のセル・サイトのＣＳＩＤを含む。
【００４８】
第２ロケーション応答内の移動局１’を取り巻く複数のセル・サイトのＣＳＩＤは、移動局１’の地理情報または移動局１’を取り巻くある場所の地理情報をＰＨＳロケーション・サーバ４’によって計算するのに使用できるインジケータである。
【００４９】
好ましくは、第２ロケーション応答は、ＰＨＳロケーション・サーバ４’のサービス・キーおよびそれぞれがセル・サイトに対応する移動局１’の複数の信号強度を含むことができる。第１ロケーション応答がＰＨＳロケーション・サーバ４’のサービス・キーを含むときに、それが、第１ロケーション要求がＰＨＳロケーション・サーバ４’のサービス・キーを含まなければならないことを意味することを理解されたい。
【００５０】
それぞれがセル・サイトに対応する移動局１’の複数の信号強度は、それぞれ、移動局１’と移動局１’を取り巻く複数のセル・サイトとの間の距離に比例し、この距離は、移動局１’を取り巻くセル・サイトの地理情報に基づいて移動局１’の関連地理情報をより正確に計算するためにＰＨＳロケーション・サーバ４’によって使用される。
【００５１】
次に、ＰＨＳロケーション・サーバ４’は、移動局１’からＩＰパケットを介して第２ロケーション応答を受信し、第２ロケーション要求から移動局１’を取り巻くセル・サイトのＣＳＩＤを取り出す。第２ロケーション要求から移動局１’を取り巻くセル・サイトのＣＳＩＤを取り出した後に、ＰＨＳロケーション・サーバ４’は、移動局１’を取り巻くセル・サイトのＣＳＩＤに基づいて移動局１’を取り巻くセル・サイトの地理情報を入手し、所定の算術（中央値法など）に従って、移動局１’を取り巻くセル・サイトの地理情報に基づいて移動局１’の関連地理情報を計算する。
【００５２】
その点で、関連地理情報は、移動局１’の地理情報または移動局１’を取り巻くある場所（映画館またはレストランなど）の地理情報を含む。
【００５３】
移動局１’の関連地理情報を計算した後に、ＰＨＳロケーション・サーバ４’は、移動局１’の関連地理情報（移動局１’の地理情報または移動局１’を取り巻くある場所の地理情報）をＩＰパケットを介してアプリケーション・サーバに送信する。
【００５４】
下では、図４を参照して、図２による本発明の第１の態様に対して詳細な説明を与える。
【００５５】
図４は、本発明の実施形態によるＰＨＳ網の移動局でのロケーティングの方法の流れ図である。
【００５６】
図４に示されているように、ステップＳ１１で、移動局１は、ＰＨＳスイッチ２およびＰＨＳパケット・サーバ３を介してＰＨＳロケーション・サーバ４に、ＩＰパケット内にカプセル化されるなど、ＩＰパケットを介して第１ロケーション要求を送信する。
【００５７】
ＰＨＳスイッチ２およびＰＨＳパケット・サーバ３は、移動局１およびＰＨＳロケーション・サーバ４にとって透過的である。ＰＨＳスイッチ２は、スイッチおよびセル・ステーション・システムを含むスイッチング・ネットワークを示す。ＰＨＳパケット・サーバ３は、ＩＰ接続を提供するのに使用され、このＩＰ接続は、ネットワーク内のメディア・ゲートウェイと同等である。具体的に言うと、このＩＰ接続は、ＰＨＳスイッチ内で使用される回線交換をパケット交換に変更するのに使用される。
【００５８】
第１ロケーション要求は、移動局１のＰＳＥＮおよび移動局１を取り巻く複数のセル・サイトのＣＳＩＤを含む。
【００５９】
第１ロケーション要求内の移動局１のＰＳＥＮは、第１ロケーション要求に対応するロケーション応答が送信されるべき移動局をＰＨＳロケーション・サーバ４に通知するのに使用され、第１ロケーション要求内の移動局１を取り巻く複数のセル・サイトのＣＳＩＤは、移動局１の地理情報または移動局１を取り巻くある場所の地理情報を計算するのに使用できるインジケータである。
【００６０】
好ましくは、第１ロケーション要求は、移動局１のＰＳＥＮ、移動局１を取り巻く複数のセル・サイトのＣＳＩＤ、移動局１のサービス・キー、およびそれぞれがセル・サイトに対応する移動局１の複数の信号強度を含むことができる。
【００６１】
その点で、それぞれがセル・サイトに対応する移動局１の複数の信号強度は、移動局１と移動局１を取り巻く複数のセル・サイトとの間の距離に比例し、この距離は、移動局１を取り巻くセル・サイトの地理情報に基づいて移動局１の関連地理情報をより正確に計算するためにＰＨＳロケーション・サーバ４によって使用される。
【００６２】
移動局１のサービス・キーは、移動局１がどのサービスを必要とするのかをＰＨＳロケーション・サーバ４に知らせるのに使用される。サービスは、トレーシング、ナビゲーション、またはある場所のロケーティングを含むが、これに限定はされない。
【００６３】
移動局１が、ＩＰパケットを介してＰＨＳロケーション・サーバ４に第１ロケーション要求を送信した後に、ＰＨＳロケーション・サーバ４は、移動局１からＩＰパケットを介して第１ロケーション要求を受信し、第１ロケーション要求から移動局１を取り巻くセル・サイトのＣＳＩＤを取り出す。
【００６４】
次に、ＰＨＳロケーション・サーバ４は、移動局１を取り巻くセル・サイトのＣＳＩＤに基づいて移動局１を取り巻くセル・サイトの地理情報を入手し、所定の算術（中央値法など）に従って、移動局１を取り巻くセル・サイトの地理情報に基づいて移動局１の関連地理情報を計算する。
【００６５】
その点で、関連地理情報は、移動局１の地理情報または移動局１を取り巻くある場所（映画館またはレストランなど）の地理情報を含む。
【００６６】
移動局１の地理情報または移動局１を取り巻くある場所（映画館またはレストランなど）の地理情報を入手した後に、ＰＨＳロケーション・サーバ４は、移動局１の地理情報または移動局１を取り巻くある場所（映画館またはレストランなど）の地理情報を含む第１ロケーション応答をＩＰパケットを介して移動局１に送信する。
【００６７】
好ましくは、第１ロケーション応答は、移動局１の関連地理情報および移動局１のサービス・キーのサービス・キーを含むことができる。第１ロケーション応答が移動局１のサービス・キーを含むときに、それが、第１ロケーション要求が移動局１のサービス・キーを含まなければならないことを意味することを理解されたい。
【００６８】
サービス・キーが、移動局１がそれ自体の地理的情報を必要とすることを示す場合には、ＰＨＳロケーション・サーバ４は、移動局１を取り巻くセル・サイトの地理情報に基づいて移動局１の地理情報を計算し、移動局１の地理情報をＩＰパケットを介して第１ロケーション応答によって移動局１に直接に送信する。
【００６９】
さらに、サービス・キーが、移動局１がそれを取り巻くある場所の地理情報を必要とすることを示す場合には、ＰＳＨロケーション・サーバ４は、まず、移動局１を取り巻くセル・サイトの地理情報に基づいて移動局１の地理情報を計算し、次に、移動局１の地理情報に従って移動局１を取り巻くある場所の地理情報を計算する。移動局１を取り巻くある場所の地理情報を計算した後に、ＰＨＳロケーション・サーバ４は、これをＩＰパケットを介して第１ロケーション応答によって移動局１に送信する。
【００７０】
次に、ステップＳ１２で、移動局１は、ＰＨＳロケーション・サーバ４から移動局１の地理情報または移動局１を取り巻くある場所の地理情報を含む第１ロケーション応答をＩＰパケットを介して受信し、その第１ロケーション応答から移動局１の地理情報または移動局１を取り巻くある場所の地理情報を取り出す。
【００７１】
下では、図５を参照して、図３による本発明の第１の態様に対して詳細な説明を与える。
【００７２】
図５は、本発明の実施形態によるＰＨＳ網の移動局でのアシスタント・ロケーティングの方法の流れ図である。
【００７３】
図５に示されているように、まず、ステップＳ１１’で、移動局１’は、ＰＨＳロケーション・サーバからＩＰパケットを介して第２ロケーション要求を受信する。
【００７４】
第２に、移動局１’は、ステップＳ１２’で、ＩＰパケットを介して前記ＰＨＳロケーション・サーバに第２ロケーション応答を送信する。
【００７５】
具体的に言うと、ＰＨＳロケーション・サーバ４’は、アプリケーション・サーバによって再送信されたＩＰパケットを介してロケーション・サービス要求を受信し、その点で、ロケーション・サービス要求は、移動局１’の関連地理情報を要求するのに使用される。次に、ＰＨＳロケーション・サーバ４’は、第２ロケーション要求をＩＰパケットを介して移動局１’に送信する。
【００７６】
ＰＨＳロケーション・サーバ４’が、ＩＰパケットを介して移動局１’に第２ロケーション要求を送信した後に、ステップ１１’で、移動局１’は、ＰＨＳロケーション・サーバ４’からそれぞれＰＨＳスイッチ２’およびＰＨＳパケット・サーバ３’によって再送信されたＩＰパケットを介して第２ロケーション要求を受信する。
【００７７】
ＰＨＳスイッチ２’およびＰＨＳパケット・サーバ３’は、移動局１’およびＰＨＳロケーション・サーバ４’にとって透過的である。ＰＨＳスイッチ２’は、スイッチおよびセル・ステーション・システムを含むスイッチング・ネットワークを示す。ＰＨＳパケット・サーバ３’は、ＩＰ接続を提供するのに使用され、このＩＰ接続は、ネットワーク内のメディア・ゲートウェイと同等である。具体的に言うと、このＩＰ接続は、ＰＨＳスイッチ内で使用される回線交換をパケット交換に変更するのに使用される。
【００７８】
好ましくは、第２ロケーション要求は、ＰＨＳロケーション・サーバ４’のサービス・キーを含むことができる。
【００７９】
より好ましくは、第２ロケーション要求は、ロケーション・サービス・リクエスタの要求ＩＤをさらに含むことができる。
【００８０】
下では、移動局１’が２つの情況（一方は、第２ロケーション要求は、ロケーション・サービス・リクエスタの要求ＩＤを含まず、他方は、第２ロケーション要求は、ロケーション・サービス・リクエスタの要求ＩＤを含む）に従って実行する次のステップを、それぞれ説明する。
【００８１】
（ｉ）第２ロケーション要求がロケーション・サービス・リクエスタの要求ＩＤを含まない情況
第２ロケーション要求がロケーション・サービス・リクエスタの要求ＩＤを含まない場合には、ステップＳ１２’で、移動局１’は、ロケーション・サービス・リクエスタを認証せずに、第２ロケーション要求に従ってＰＨＳロケーション・サーバ４’にＩＰパケットを介して第２ロケーション応答を直接に送信する。
【００８２】
（ｉｉ）第２ロケーション要求がロケーション・サービス・リクエスタの要求ＩＤを含む情況
第２ロケーション要求がロケーション・サービス・リクエスタの要求ＩＤを含む場合には、移動局１’は、第２ロケーション要求からロケーション・サービス・リクエスタの要求ＩＤを取り出し、次に、ロケーション・サービス・リクエスタの要求ＩＤに従ってロケーション・サービス・リクエスタを認証する。
【００８３】
一実施形態では、移動局１’は、すべての認可されたロケーション・サービス・リクエスタの要求ＩＤを格納するデータベースを含むことができる。移動局１’は、第２ロケーション要求からロケーション・サービス・リクエスタの要求ＩＤを取り出した後に、ロケーション・サービス・リクエスタの要求ＩＤをデータベースに格納されたすべての認可された要求ＩＤと比較して、ロケーション・サービス・リクエスタが認可されたリクエスタであるかどうかを判定する。
【００８４】
ロケーション・サービス・リクエスタの認証が成功である（ロケーション・サービス・リクエスタが認可されたリクエスタであることを意味する）場合には、ステップＳ１２’で、移動局１’は、第２ロケーション応答をＩＰパケットを介してＰＨＳロケーション・サーバ４’に送信する。
【００８５】
第２ロケーション応答は、移動局１’を取り巻く複数のセル・サイトのＣＳＩＤを含む。
【００８６】
第２ロケーション応答内の移動局１’を取り巻く複数のセル・サイトのＣＳＩＤは、移動局１’の地理情報または移動局１’を取り巻くある場所の地理情報をＰＨＳロケーション・サーバ４’によって計算するのに使用できるインジケータである。
【００８７】
好ましくは、第２ロケーション応答は、ＰＨＳロケーション・サーバ４’のサービス・キーおよびそれぞれがセル・サイトに対応する移動局１’の複数の信号強度を含むことができる。第１ロケーション応答がＰＨＳロケーション・サーバ４’のサービス・キーを含むときに、それが、第１ロケーション要求がＰＨＳロケーション・サーバ４’のサービス・キーを含まなければならないことを意味することを理解されたい。
【００８８】
それぞれがセル・サイトに対応する移動局１’の複数の信号強度は、それぞれ、移動局１’と移動局１’を取り巻く複数のセル・サイトとの間の距離に比例し、この距離は、移動局１’を取り巻くセル・サイトの地理情報に基づいて移動局１’の関連地理情報をより正確に計算するためにＰＨＳロケーション・サーバ４’によって使用される。
【００８９】
次に、ＰＨＳロケーション・サーバ４’は、移動局１’からＩＰパケットを介して第２ロケーション応答を受信し、第２ロケーション要求から移動局１’を取り巻くセル・サイトのＣＳＩＤを取り出す。第２ロケーション要求から移動局１’を取り巻くセル・サイトのＣＳＩＤを取り出した後に、ＰＨＳロケーション・サーバ４’は、移動局１’を取り巻くセル・サイトのＣＳＩＤに基づいて移動局１’を取り巻くセル・サイトの地理情報を入手し、所定の算術（中央値法など）に従って、移動局１’を取り巻くセル・サイトの地理情報に基づいて移動局１’の関連地理情報を計算する。
【００９０】
その点で、関連地理情報は、移動局１’の地理情報または移動局１’を取り巻くある場所（映画館またはレストランなど）の地理情報を含む。
【００９１】
移動局１’の関連地理情報を計算した後に、ＰＨＳロケーション・サーバ４’は、移動局１’の関連地理情報（移動局１’の地理情報または移動局１’を取り巻くある場所の地理情報）をＩＰパケットを介してアプリケーション・サーバに送信する。
【００９２】
下では、図６を参照して、図２による本発明の第１の態様に対して詳細な説明を与える。
【００９３】
図６は、本発明の実施形態によるＰＨＳ網のＰＨＳロケーション・サーバでのロケーティングの方法の流れ図である。
【００９４】
図６に示されているように、移動局１は、ＰＨＳスイッチ２およびＰＨＳパケット・サーバ３を介してＰＨＳロケーション・サーバ４に、ＩＰパケット内にカプセル化されるなど、ＩＰパケットを介して第１ロケーション要求を送信する。
【００９５】
ＰＨＳスイッチ２およびＰＨＳパケット・サーバ３は、移動局１およびＰＨＳロケーション・サーバ４にとって透過的である。ＰＨＳスイッチ２は、スイッチおよびセル・ステーション・システムを含むスイッチング・ネットワークを示す。ＰＨＳパケット・サーバ３は、ＩＰ接続を提供するのに使用され、このＩＰ接続は、ネットワーク内のメディア・ゲートウェイと同等である。具体的に言うと、このＩＰ接続は、ＰＨＳスイッチ内で使用される回線交換をパケット交換に変更するのに使用される。
【００９６】
移動局１が、ＩＰパケットを介してＰＨＳロケーション・サーバ４に第１ロケーション要求を送信した後に、ステップＳ２１で、ＰＨＳロケーション・サーバ４は、移動局１からＩＰパケットを介して第１ロケーション要求を受信する。
【００９７】
第１ロケーション要求は、移動局１のＰＳＥＮ、移動局１を取り巻く複数のセル・サイトのＣＳＩＤを含む。
【００９８】
第１ロケーション要求内の移動局１のＰＳＥＮは、第１ロケーション要求に対応するロケーション応答が送信されるべき移動局をＰＨＳロケーション・サーバ４に通知するのに使用され、第１ロケーション要求内の移動局１を取り巻く複数のセル・サイトのＣＳＩＤは、移動局１の地理情報または移動局１を取り巻くある場所の地理情報を計算するのに使用できるインジケータである。
【００９９】
好ましくは、第１ロケーション要求は、移動局１のＰＳＥＮ、移動局１を取り巻く複数のセル・サイトのＣＳＩＤ、移動局１のサービス・キー、およびそれぞれがセル・サイトに対応する移動局１の複数の信号強度を含むことができる。
【０１００】
その点で、それぞれがセル・サイトに対応する移動局１の複数の信号強度は、移動局１と移動局１を取り巻く複数のセル・サイトとの間の距離に比例し、この距離は、移動局１を取り巻くセル・サイトの地理情報に基づいて移動局１の関連地理情報をより正確に計算するためにＰＨＳロケーション・サーバ４によって使用される。
【０１０１】
移動局１のサービス・キーは、移動局１がどのサービスを必要とするのかをＰＨＳロケーション・サーバ４に知らせるのに使用される。サービスは、トレーシング、ナビゲーション、またはある場所のロケーティングを含むが、これに限定はされない。
【０１０２】
ステップＳ２２で、ＰＨＳロケーション・サーバ４は、第１ロケーション要求から移動局１を取り巻くセル・サイトのＣＳＩＤを取り出す。
【０１０３】
第１ロケーション要求から移動局１を取り巻くセル・サイトのＣＳＩＤを取り出した後に、ステップＳ２３で、ＰＨＳロケーション・サーバ４は、移動局１を取り巻くセル・サイトのＣＳＩＤに基づいて移動局１を取り巻くセル・サイトの地理情報を入手する。
【０１０４】
次に、ステップＳ２４で、ＰＨＳロケーション・サーバ４は、所定の算術（中央値法など）に従って、移動局１を取り巻くセル・サイトの地理情報に基づいて移動局１の関連地理情報を計算する。
【０１０５】
その点で、関連地理情報は、移動局１の地理情報または移動局１を取り巻くある場所（映画館またはレストランなど）の地理情報を含む。
【０１０６】
移動局１の関連地理情報を計算した後に、ステップＳ２５で、ＰＨＳロケーション・サーバ４は、移動局１の関連地理情報（移動局１の地理情報または移動局１を取り巻くある場所の地理情報）を含む第１ロケーション応答をＩＰパケットを介して移動局１に送信する。
【０１０７】
好ましくは、第１ロケーション応答は、移動局１の関連地理情報および移動局１のサービス・キーのサービス・キーを含むことができる。第１ロケーション応答が移動局１のサービス・キーを含むときに、それが、第１ロケーション要求が移動局１のサービス・キーを含まなければならないことを意味することを理解されたい。
【０１０８】
最後に、移動局１は、移動局１の関連地理情報（移動局１の地理情報または移動局１を取り巻くある場所の地理情報）を含む第１ロケーション応答をＩＰパケットを介してＰＨＳロケーション・サーバ４から受信し、移動局１の地理情報または移動局１を取り巻くある場所の地理情報を第１ロケーション応答から取り出す。
【０１０９】
下では、図７を参照して、図３による本発明の第１の態様に対して詳細な説明を与える。
【０１１０】
図７は、本発明の実施形態によるＰＨＳ網のＰＨＳロケーション・サーバでのアシスタント・ロケーティングの方法の流れ図である。
【０１１１】
図７に示されているように、ステップＳ２１’で、ＰＨＳロケーション・サーバ４’は、アプリケーション・サーバによって再送信されたＩＰパケットを介してロケーション・サービス要求を受信し、その点で、ロケーション・サービス要求は、移動局１’の関連地理情報を要求するのに使用される。
【０１１２】
アプリケーション・サーバによって再送信されたＩＰパケットを介してロケーション・サービス要求を受信した後に、ステップＳ２２’で、ＰＨＳロケーション・サーバ４’は、第２ロケーション要求をＩＰパケットを介して移動局１’に送信する。
【０１１３】
ＰＨＳロケーション・サーバ４’が、ＩＰパケットを介して移動局１’に第２ロケーション要求を送信した後に、移動局１’は、ＰＨＳロケーション・サーバ４’からそれぞれＰＨＳスイッチ２’およびＰＨＳパケット・サーバ３’によって再送信されたＩＰパケットを介して第２ロケーション要求を受信する。
【０１１４】
ＰＨＳスイッチ２’およびＰＨＳパケット・サーバ３’は、移動局１’およびＰＨＳロケーション・サーバ４’にとって透過的である。ＰＨＳスイッチ２’は、スイッチおよびセル・ステーション・システムを含むスイッチング・ネットワークを示す。ＰＨＳパケット・サーバ３’は、ＩＰ接続を提供するのに使用され、このＩＰ接続は、ネットワーク内のメディア・ゲートウェイと同等である。具体的に言うと、このＩＰ接続は、ＰＨＳスイッチ内で使用される回線交換をパケット交換に変更するのに使用される。
【０１１５】
好ましくは、第２ロケーション要求は、ＰＨＳロケーション・サーバ４’のサービス・キーを含むことができる。
【０１１６】
より好ましくは、第２ロケーション要求は、ロケーション・サービス・リクエスタの要求ＩＤをさらに含むことができる。
【０１１７】
下では、移動局１’が２つの情況（一方は、第２ロケーション要求は、ロケーション・サービス・リクエスタの要求ＩＤを含まず、他方は、第２ロケーション要求は、ロケーション・サービス・リクエスタの要求ＩＤを含む）に従って実行する次のステップを、それぞれ説明する。
【０１１８】
（Ｉ）第２ロケーション要求がロケーション・サービス・リクエスタの要求ＩＤを含まない情況
第２ロケーション要求がロケーション・サービス・リクエスタの要求ＩＤを含まない場合には、移動局１’は、ロケーション・サービス・リクエスタを認証せずに、第２ロケーション要求に従ってＰＨＳロケーション・サーバ４’に第２ロケーション応答を直接に送信する。
【０１１９】
（ＩＩ）第２ロケーション要求がロケーション・サービス・リクエスタの要求ＩＤを含む情況
第２ロケーション要求がロケーション・サービス・リクエスタの要求ＩＤを含む場合には、移動局１’は、第２ロケーション要求からロケーション・サービス・リクエスタの要求ＩＤを取り出し、次に、ロケーション・サービス・リクエスタの要求ＩＤに従ってロケーション・サービス・リクエスタを認証する。
【０１２０】
一実施形態では、移動局１’は、すべての認可されたロケーション・サービス・リクエスタの要求ＩＤを格納するデータベースを含むことができる。移動局１’は、第２ロケーション要求からロケーション・サービス・リクエスタの要求ＩＤを取り出した後に、ロケーション・サービス・リクエスタの要求ＩＤをデータベースに格納されたすべての認可された要求ＩＤと比較して、ロケーション・サービス・リクエスタが認可されたリクエスタであるかどうかを判定する。
【０１２１】
ロケーション・サービス・リクエスタの認証が成功である（ロケーション・サービス・リクエスタが認可されたリクエスタであることを意味する）場合には、移動局１’は、第２ロケーション応答をＩＰパケットを介してＰＨＳロケーション・サーバ４’に送信する。
【０１２２】
次に、ステップＳ２３’で、ＰＨＳロケーション・サーバ４’は、移動局１’からＩＰパケットを介して第２ロケーション応答を受信する。
【０１２３】
第２ロケーション応答は、移動局１’を取り巻く複数のセル・サイトのＣＳＩＤを含む。
【０１２４】
第２ロケーション応答内の移動局１’を取り巻く複数のセル・サイトのＣＳＩＤは、移動局１’の地理情報または移動局１’を取り巻くある場所の地理情報をＰＨＳロケーション・サーバ４’によって計算するのに使用できるインジケータである。
【０１２５】
好ましくは、第２ロケーション応答は、ＰＨＳロケーション・サーバ４’のサービス・キーおよびそれぞれがセル・サイトに対応する移動局１’の複数の信号強度を含むことができる。第１ロケーション応答がＰＨＳロケーション・サーバ４’のサービス・キーを含むときに、それが、第１ロケーション要求がＰＨＳロケーション・サーバ４’のサービス・キーを含まなければならないことを意味することを理解されたい。
【０１２６】
それぞれがセル・サイトに対応する移動局１’の複数の信号強度は、それぞれ、移動局１’と移動局１’を取り巻く複数のセル・サイトとの間の距離に比例し、この距離は、移動局１’を取り巻くセル・サイトの地理情報に基づいて移動局１’の関連地理情報をより正確に計算するためにＰＨＳロケーション・サーバ４’によって使用される。
【０１２７】
次に、ステップＳ２４’で、ＰＨＳロケーション・サーバ４’は、第２ロケーション要求から移動局１’を取り巻くセル・サイトのＣＳＩＤを取り出す。
【０１２８】
第２ロケーション要求から移動局１’を取り巻くセル・サイトのＣＳＩＤを取り出した後に、ステップＳ２５’で、ＰＨＳロケーション・サーバ４’は、移動局１’を取り巻くセル・サイトのＣＳＩＤに基づいて移動局１’を取り巻くセル・サイトの地理情報を入手する。
【０１２９】
次に、ステップＳ２６’で、ＰＨＳロケーション・サーバ４’は、所定の算術（中央値法など）に従って、移動局１’を取り巻くセル・サイトの地理情報に基づいて移動局１’の関連地理情報を計算する。
【０１３０】
その点で、関連地理情報は、移動局１’の地理情報または移動局１’を取り巻くある場所（映画館またはレストランなど）の地理情報を含む。
【０１３１】
移動局１’の関連地理情報を計算した後に、ステップＳ２７’で、ＰＨＳロケーション・サーバ４’は、移動局１’の関連地理情報（移動局１’の地理情報または移動局１’を取り巻くある場所の地理情報）をＩＰパケットを介してアプリケーション・サーバに送信する。
【０１３２】
下では、図８を参照して、図２による本発明の第１の態様に対して詳細な説明を与える。
【０１３３】
図８は、本発明の実施形態によるＰＨＳ網の移動局でのロケーティングのための第１ロケーティング装置のブロック図である。
【０１３４】
第１ロケーティング装置１０は、第１送信手段１０１および第１受信手段１０２を含む。
【０１３５】
図８に示されているように、第１送信手段１０１は、ＰＨＳスイッチ２およびＰＨＳパケット・サーバ３を介してＰＨＳロケーション・サーバ４に、ＩＰパケット内にカプセル化されるなど、ＩＰパケットを介して第１ロケーション要求を送信するのに使用される。
【０１３６】
ＰＨＳスイッチ２およびＰＨＳパケット・サーバ３は、移動局１およびＰＨＳロケーション・サーバ４にとって透過的である。ＰＨＳスイッチ２は、スイッチおよびセル・ステーション・システムを含むスイッチング・ネットワークを示す。ＰＨＳパケット・サーバ３は、ＩＰ接続を提供するのに使用され、このＩＰ接続は、ネットワーク内のメディア・ゲートウェイと同等である。具体的に言うと、このＩＰ接続は、ＰＨＳスイッチ内で使用される回線交換をパケット交換に変更するのに使用される。
【０１３７】
第１ロケーション要求は、移動局１のＰＳＥＮ、移動局１を取り巻く複数のセル・サイトのＣＳＩＤを含む。
【０１３８】
第１ロケーション要求内の移動局１のＰＳＥＮは、第１ロケーション要求に対応するロケーション応答が送信されるべき移動局をＰＨＳロケーション・サーバ４に通知するのに使用され、第１ロケーション要求内の移動局１を取り巻く複数のセル・サイトのＣＳＩＤは、移動局１の地理情報または移動局１を取り巻くある場所の地理情報を計算するのに使用できるインジケータである。
【０１３９】
好ましくは、第１ロケーション要求は、移動局１のＰＳＥＮ、移動局１を取り巻く複数のセル・サイトのＣＳＩＤ、移動局１のサービス・キー、およびそれぞれがセル・サイトに対応する移動局１の複数の信号強度を含むことができる。
【０１４０】
その点で、それぞれがセル・サイトに対応する移動局１の複数の信号強度は、移動局１と移動局１を取り巻く複数のセル・サイトとの間の距離に比例し、この距離は、移動局１を取り巻くセル・サイトの地理情報に基づいて移動局１の関連地理情報をより正確に計算するためにＰＨＳロケーション・サーバ４によって使用される。
【０１４１】
移動局１のサービス・キーは、移動局１がどのサービスを必要とするのかをＰＨＳロケーション・サーバ４に知らせるのに使用される。サービスは、トレーシング、ナビゲーション、またはある場所のロケーティングを含むが、これに限定はされない。
【０１４２】
移動局１が、ＩＰパケットを介してＰＨＳロケーション・サーバ４に第１ロケーション要求を送信した後に、ＰＨＳロケーション・サーバ４は、移動局１からＩＰパケットを介して第１ロケーション要求を受信し、第１ロケーション要求から移動局１を取り巻くセル・サイトのＣＳＩＤを取り出す。
【０１４３】
次に、ＰＨＳロケーション・サーバ４は、移動局１を取り巻くセル・サイトのＣＳＩＤに基づいて移動局１を取り巻くセル・サイトの地理情報を入手し、所定の算術（中央値法など）に従って、移動局１を取り巻くセル・サイトの地理情報に基づいて移動局１の関連地理情報を計算する。
【０１４４】
その点で、関連地理情報は、移動局１の地理情報または移動局１を取り巻くある場所（映画館またはレストランなど）の地理情報を含む。
【０１４５】
移動局１の関連地理情報または移動局１を取り巻くある場所（映画館またはレストランなど）の地理情報を入手した後に、ＰＨＳロケーション・サーバ４は、移動局１の地理情報または移動局１を取り巻くある場所（映画館またはレストランなど）の地理情報を含む第１ロケーション応答をＩＰパケットを介して移動局１に送信する。
【０１４６】
好ましくは、第１ロケーション応答は、移動局１の関連地理情報および移動局１のサービス・キーのサービス・キーを含むことができる。第１ロケーション応答が移動局１のサービス・キーを含むときに、それが、第１ロケーション要求が移動局１のサービス・キーを含まなければならないことを意味することを理解されたい。
【０１４７】
サービス・キーが、移動局１がそれ自体の地理的情報を必要とすることを示す場合には、ＰＨＳロケーション・サーバ４は、移動局１を取り巻くセル・サイトの地理情報に基づいて移動局１の地理情報を計算し、移動局１の地理情報をＩＰパケットを介して第１ロケーション応答によって移動局１に直接に送信する。
【０１４８】
さらに、サービス・キーが、移動局１がそれを取り巻くある場所の地理情報を必要とすることを示す場合には、ＰＳＨロケーション・サーバ４は、まず、移動局１を取り巻くセル・サイトの地理情報に基づいて移動局１の地理情報を計算し、次に、移動局１の地理情報に従って移動局１を取り巻くある場所の地理情報を計算する。移動局１を取り巻くある場所の地理情報を計算した後に、ＰＨＳロケーション・サーバ４は、これをＩＰパケットを介して第１ロケーション応答によって移動局１に送信する。
【０１４９】
第１受信手段１０２は、ＰＨＳロケーション・サーバ４から移動局１の地理情報または移動局１を取り巻くある場所の地理情報を含む第１ロケーション応答をＩＰパケットを介して受信し、その第１ロケーション応答から移動局１の地理情報または移動局１を取り巻くある場所の地理情報を取り出すのに使用される。
【０１５０】
下では、図９を参照して、図３による本発明の第１の態様に対して詳細な説明を与える。
【０１５１】
図９は、本発明の実施形態によるＰＨＳ網の移動局でのロケーティングのための第１アシスタント・ロケーティング装置のブロック図である。
【０１５２】
第１アシスタント・ロケーティング装置１０’は、第２受信手段１０１’および第２送信手段１０２’を含む。
【０１５３】
図９に示されているように、ＰＨＳロケーション・サーバ４’は、アプリケーション・サーバによって再送信されたＩＰパケットを介してロケーション・サービス要求を受信し、その点で、ロケーション・サービス要求は、移動局１’の関連地理情報を要求するのに使用される。次に、ＰＨＳロケーション・サーバ４’は、第２ロケーション要求をＩＰパケットを介して移動局１’に送信する。
【０１５４】
第２受信手段１０１’は、ＰＨＳロケーション・サーバ４’からそれぞれＰＨＳスイッチ２’およびＰＨＳパケット・サーバ３’によって再送信されたＩＰパケットを介して第２ロケーション要求を受信するのに使用される。
【０１５５】
ＰＨＳスイッチ２’およびＰＨＳパケット・サーバ３’は、移動局１’およびＰＨＳロケーション・サーバ４’にとって透過的である。ＰＨＳスイッチ２’は、スイッチおよびセル・ステーション・システムを含むスイッチング・ネットワークを示す。ＰＨＳパケット・サーバ３’は、ＩＰ接続を提供するのに使用され、このＩＰ接続は、ネットワーク内のメディア・ゲートウェイと同等である。具体的に言うと、このＩＰ接続は、ＰＨＳスイッチ内で使用される回線交換をパケット交換に変更するのに使用される。
【０１５６】
好ましくは、第２ロケーション要求は、ＰＨＳロケーション・サーバ４’のサービス・キーを含むことができる。
【０１５７】
より好ましくは、第２ロケーション要求は、ロケーション・サービス・リクエスタの要求ＩＤをさらに含むことができる。
【０１５８】
下では、移動局１’が２つの情況（一方は、第２ロケーション要求は、ロケーション・サービス・リクエスタの要求ＩＤを含まず、他方は、第２ロケーション要求は、ロケーション・サービス・リクエスタの要求ＩＤを含む）に従って実行する次のステップを、それぞれ説明する。
【０１５９】
（ｍ）第２ロケーション要求がロケーション・サービス・リクエスタの要求ＩＤを含まない情況
第２ロケーション要求がロケーション・サービス・リクエスタの要求ＩＤを含まない場合には、第２送信手段１０２’が、ロケーション・サービス・リクエスタを認証せずに、第２ロケーション要求に従ってＩＰパケットを介してＰＨＳロケーション・サーバ４’に第２ロケーション応答を直接に送信するのに使用される。
【０１６０】
（ｎ）第２ロケーション要求がロケーション・サービス・リクエスタの要求ＩＤを含む情況
第２ロケーション要求がロケーション・サービス・リクエスタの要求ＩＤを含む場合には、移動局１’は、第２ロケーション要求からロケーション・サービス・リクエスタの要求ＩＤを取り出し、次に、ロケーション・サービス・リクエスタの要求ＩＤに従ってロケーション・サービス・リクエスタを認証する。
【０１６１】
一実施形態では、移動局１’は、すべての認可されたロケーション・サービス・リクエスタの要求ＩＤを格納するデータベースを含むことができる。移動局１’は、第２ロケーション要求からロケーション・サービス・リクエスタの要求ＩＤを取り出した後に、ロケーション・サービス・リクエスタの要求ＩＤをデータベースに格納されたすべての認可された要求ＩＤと比較して、ロケーション・サービス・リクエスタが認可されたリクエスタであるかどうかを判定する。
【０１６２】
ロケーション・サービス・リクエスタの認証が成功である（ロケーション・サービス・リクエスタが認可されたリクエスタであることを意味する）場合には、第２送信手段１０２’が、第２ロケーション応答をＩＰパケットを介してＰＨＳロケーション・サーバ４’に送信するのに使用される。
【０１６３】
第２ロケーション応答は、移動局１’を取り巻く複数のセル・サイトのＣＳＩＤを含む。
【０１６４】
第２ロケーション応答内の移動局１’を取り巻く複数のセル・サイトのＣＳＩＤは、移動局１’の地理情報または移動局１’を取り巻くある場所の地理情報をＰＨＳロケーション・サーバ４’によって計算するのに使用できるインジケータである。
【０１６５】
好ましくは、第２ロケーション応答は、ＰＨＳロケーション・サーバ４’のサービス・キーおよびそれぞれがセル・サイトに対応する移動局１’の複数の信号強度を含むことができる。第１ロケーション応答がＰＨＳロケーション・サーバ４’のサービス・キーを含むときに、それが、第１ロケーション要求がＰＨＳロケーション・サーバ４’のサービス・キーを含まなければならないことを意味することを理解されたい。
【０１６６】
それぞれがセル・サイトに対応する移動局１’の複数の信号強度は、それぞれ、移動局１’と移動局１’を取り巻く複数のセル・サイトとの間の距離に比例し、この距離は、移動局１’を取り巻くセル・サイトの地理情報に基づいて移動局１’の関連地理情報をより正確に計算するためにＰＨＳロケーション・サーバ４’によって使用される。
【０１６７】
次に、ＰＨＳロケーション・サーバ４’は、移動局１’からＩＰパケットを介して第２ロケーション応答を受信し、第２ロケーション要求から移動局１’を取り巻くセル・サイトのＣＳＩＤを取り出す。第２ロケーション要求から移動局１’を取り巻くセル・サイトのＣＳＩＤを取り出した後に、ＰＨＳロケーション・サーバ４’は、移動局１’を取り巻くセル・サイトのＣＳＩＤに基づいて移動局１’を取り巻くセル・サイトの地理情報を入手し、所定の算術（中央値法など）に従って、移動局１’を取り巻くセル・サイトの地理情報に基づいて移動局１’の関連地理情報を計算する。
【０１６８】
その点で、関連地理情報は、移動局１’の地理情報または移動局１’を取り巻くある場所（映画館またはレストランなど）の地理情報を含む。
【０１６９】
移動局１’の関連地理情報を計算した後に、ＰＨＳロケーション・サーバ４’は、移動局１’の関連地理情報（移動局１’の地理情報または移動局１’を取り巻くある場所の地理情報）をＩＰパケットを介してアプリケーション・サーバに送信する。
【０１７０】
下では、図１０を参照して、図２による本発明の第１の態様に対して詳細な説明を与える。
【０１７１】
図１０は、本発明の実施形態によるＰＨＳ網のＰＨＳロケーション・サーバでのロケーティングのための第２ロケーティング装置を示すブロック図である。
【０１７２】
第２ロケーティング装置２０は、第３受信手段２０１、第２取出手段２０２、第２入手手段２０３、第１計算手段２０４、および第３送信手段２０５を含む。
【０１７３】
図１０に示されているように、移動局１は、ＰＨＳスイッチ２およびＰＨＳパケット・サーバ３を介してＰＨＳロケーション・サーバ４に、ＩＰパケット内にカプセル化されるなど、ＩＰパケットを介して第１ロケーション要求を送信する。
【０１７４】
ＰＨＳスイッチ２およびＰＨＳパケット・サーバ３は、移動局１およびＰＨＳロケーション・サーバ４にとって透過的である。ＰＨＳスイッチ２は、スイッチおよびセル・ステーション・システムを含むスイッチング・ネットワークを示す。ＰＨＳパケット・サーバ３は、ＩＰ接続を提供するのに使用され、このＩＰ接続は、ネットワーク内のメディア・ゲートウェイと同等である。具体的に言うと、このＩＰ接続は、ＰＨＳスイッチ内で使用される回線交換をパケット交換に変更するのに使用される。
【０１７５】
移動局１がＩＰパケットを介して第１ロケーション要求をＰＨＳロケーション・サーバ４に送信した後に、第３受信手段２０１が、ＩＰパケットを介して移動局１から第１ロケーション要求を受信するのに使用される。
【０１７６】
第１ロケーション要求は、移動局１のＰＳＥＮ、移動局１を取り巻く複数のセル・サイトのＣＳＩＤを含む。
【０１７７】
第１ロケーション要求内の移動局１のＰＳＥＮは、第１ロケーション要求に対応するロケーション応答が送信されるべき移動局をＰＨＳロケーション・サーバ４に通知するのに使用され、第１ロケーション要求内の移動局１を取り巻く複数のセル・サイトのＣＳＩＤは、移動局１の地理情報または移動局１を取り巻くある場所の地理情報を計算するのに使用できるインジケータである。
【０１７８】
好ましくは、第１ロケーション要求は、移動局１のＰＳＥＮ、移動局１を取り巻く複数のセル・サイトのＣＳＩＤ、移動局１のサービス・キー、およびそれぞれがセル・サイトに対応する移動局１の複数の信号強度を含むことができる。
【０１７９】
その点で、それぞれがセル・サイトに対応する移動局１の複数の信号強度は、移動局１と移動局１を取り巻く複数のセル・サイトとの間の距離に比例し、この距離は、移動局１を取り巻くセル・サイトの地理情報に基づいて移動局１の関連地理情報をより正確に計算するためにＰＨＳロケーション・サーバ４によって使用される。
【０１８０】
移動局１のサービス・キーは、移動局１がどのサービスを必要とするのかをＰＨＳロケーション・サーバ４に知らせるのに使用される。サービスは、トレーシング、ナビゲーション、またはある場所のロケーティングを含むが、これに限定はされない。
【０１８１】
第２取出手段２０２は、第１ロケーション要求から移動局１を取り巻くセル・サイトのＣＳＩＤを取り出すのに使用される。
【０１８２】
第１ロケーション要求から移動局１を取り巻くセル・サイトのＣＳＩＤを取り出した後に、第２入手手段２０３が、移動局１を取り巻くセル・サイトのＣＳＩＤに基づいて移動局１を取り巻くセル・サイトの地理情報を入手するのに使用される。
【０１８３】
次に、第１計算手段２０４が、所定の算術（中央値法など）に従って、移動局１を取り巻くセル・サイトの地理情報に基づいて移動局１の関連地理情報を計算するのに使用される。
【０１８４】
その点で、関連地理情報は、移動局１の地理情報または移動局１を取り巻くある場所（映画館またはレストランなど）の地理情報を含む。
【０１８５】
移動局１の関連地理情報を計算した後に、第３送信手段２０５が、移動局１の関連地理情報（移動局１の地理情報または移動局１を取り巻くある場所の地理情報）を含む第１ロケーション応答をＩＰパケットを介して移動局１に送信するのに使用される。
【０１８６】
好ましくは、第１ロケーション応答は、移動局１の関連地理情報および移動局１のサービス・キーのサービス・キーを含むことができる。第１ロケーション応答が移動局１のサービス・キーを含むときに、それが、第１ロケーション要求が移動局１のサービス・キーを含まなければならないことを意味することを理解されたい。
【０１８７】
最後に、移動局１は、移動局１の関連地理情報（移動局１の地理情報または移動局１を取り巻くある場所の地理情報）を含む第１ロケーション応答をＩＰパケットを介してＰＨＳロケーション・サーバ４から受信し、移動局１の地理情報または移動局１を取り巻くある場所の地理情報を第１ロケーション応答から取り出す。
【０１８８】
下では、図１１を参照して、図３による本発明の第１の態様に対して詳細な説明を与える。
【０１８９】
図１１は、本発明の実施形態によるＰＨＳ網のＰＨＳロケーション・サーバでのロケーティングのための第２アシスタント・ロケーティング装置のブロック図である。
【０１９０】
図１１に示されているように、第４受信手段２０１’が、アプリケーション・サーバによって再送信されたＩＰパケットを介してロケーション・サービス要求を受信するのに使用され、その点で、ロケーション・サービス要求は、移動局１’の関連地理情報を要求するのに使用される。
【０１９１】
アプリケーション・サーバによって再送信されたＩＰパケットを介してロケーション・サービス要求を受信した後に、第４送信手段２０２’が、第２ロケーション要求をＩＰパケットを介して移動局１’に送信するのに使用される。
【０１９２】
ＰＨＳロケーション・サーバ４’が、ＩＰパケットを介して移動局１’に第２ロケーション要求を送信した後に、移動局１’は、ＰＨＳロケーション・サーバ４’からそれぞれＰＨＳスイッチ２’およびＰＨＳパケット・サーバ３’によって再送信されたＩＰパケットを介して第２ロケーション要求を受信する。
【０１９３】
ＰＨＳスイッチ２’およびＰＨＳパケット・サーバ３’は、移動局１’およびＰＨＳロケーション・サーバ４’にとって透過的である。ＰＨＳスイッチ２’は、スイッチおよびセル・ステーション・システムを含むスイッチング・ネットワークを示す。ＰＨＳパケット・サーバ３’は、ＩＰ接続を提供するのに使用され、このＩＰ接続は、ネットワーク内のメディア・ゲートウェイと同等である。具体的に言うと、このＩＰ接続は、ＰＨＳスイッチ内で使用される回線交換をパケット交換に変更するのに使用される。
【０１９４】
好ましくは、第２ロケーション要求は、ＰＨＳロケーション・サーバ４’のサービス・キーを含むことができる。
【０１９５】
より好ましくは、第２ロケーション要求は、ロケーション・サービス・リクエスタの要求ＩＤをさらに含むことができる。
【０１９６】
下では、移動局１’が２つの情況（一方は、第２ロケーション要求は、ロケーション・サービス・リクエスタの要求ＩＤを含まず、他方は、第２ロケーション要求は、ロケーション・サービス・リクエスタの要求ＩＤを含む）に従って実行する次のステップを、それぞれ説明する。
【０１９７】
（Ｍ）第２ロケーション要求がロケーション・サービス・リクエスタの要求ＩＤを含まない情況
第２ロケーション要求がロケーション・サービス・リクエスタの要求ＩＤを含まない場合には、移動局１’は、ロケーション・サービス・リクエスタを認証せずに、第２ロケーション要求に従ってＰＨＳロケーション・サーバ４’に第２ロケーション応答を直接に送信する。
【０１９８】
（Ｎ）第２ロケーション要求がロケーション・サービス・リクエスタの要求ＩＤを含む情況
第２ロケーション要求がロケーション・サービス・リクエスタの要求ＩＤを含む場合には、移動局１’は、第２ロケーション要求からロケーション・サービス・リクエスタの要求ＩＤを取り出し、次に、ロケーション・サービス・リクエスタの要求ＩＤに従ってロケーション・サービス・リクエスタを認証する。
【０１９９】
一実施形態では、移動局１’は、すべての認可されたロケーション・サービス・リクエスタの要求ＩＤを格納するデータベースを含むことができる。移動局１’は、第２ロケーション要求からロケーション・サービス・リクエスタの要求ＩＤを取り出した後に、ロケーション・サービス・リクエスタの要求ＩＤをデータベースに格納されたすべての認可された要求ＩＤと比較して、ロケーション・サービス・リクエスタが認可されたリクエスタであるかどうかを判定する。
【０２００】
ロケーション・サービス・リクエスタの認証が成功である（ロケーション・サービス・リクエスタが認可されたリクエスタであることを意味する）場合には、移動局１’は、第２ロケーション応答をＩＰパケットを介してＰＨＳロケーション・サーバ４’に送信する。
【０２０１】
次に、第５受信手段２０３’が、移動局１’からＩＰパケットを介して第２ロケーション応答を受信するのに使用される。
【０２０２】
第２ロケーション応答は、移動局１’を取り巻く複数のセル・サイトのＣＳＩＤを含む。
【０２０３】
第２ロケーション応答内の移動局１’を取り巻く複数のセル・サイトのＣＳＩＤは、移動局１’の地理情報または移動局１’を取り巻くある場所の地理情報をＰＨＳロケーション・サーバ４’によって計算するのに使用できるインジケータである。
【０２０４】
好ましくは、第２ロケーション応答は、ＰＨＳロケーション・サーバ４’のサービス・キーおよびそれぞれがセル・サイトに対応する移動局１’の複数の信号強度を含むことができる。第１ロケーション応答がＰＨＳロケーション・サーバ４’のサービス・キーを含むときに、それが、第１ロケーション要求がＰＨＳロケーション・サーバ４’のサービス・キーを含まなければならないことを意味することを理解されたい。
【０２０５】
それぞれがセル・サイトに対応する移動局１’の複数の信号強度は、それぞれ、移動局１’と移動局１’を取り巻く複数のセル・サイトとの間の距離に比例し、この距離は、移動局１’を取り巻くセル・サイトの地理情報に基づいて移動局１’の関連地理情報をより正確に計算するためにＰＨＳロケーション・サーバ４’によって使用される。
【０２０６】
次に、第３取出手段２０４’が、第２ロケーション要求から移動局１’を取り巻くセル・サイトのＣＳＩＤを取り出すのに使用される。
【０２０７】
第２ロケーション要求から移動局１’を取り巻くセル・サイトのＣＳＩＤを取り出した後に、第４入手手段２０５’が、移動局１’を取り巻くセル・サイトのＣＳＩＤに基づいて移動局１’を取り巻くセル・サイトの地理情報を入手するのに使用される。
【０２０８】
次に、第２計算手段２０６’が、所定の算術（中央値法など）に従って、移動局１’を取り巻くセル・サイトの地理情報に基づいて移動局１’の関連地理情報を計算するを計算するのに使用される。
【０２０９】
その点で、関連地理情報は、移動局１’の地理情報または移動局１’を取り巻くある場所（映画館またはレストランなど）の地理情報を含む。
【０２１０】
移動局１’の関連地理情報を計算した後に、第５送信手段２０７’が、移動局１’の関連地理情報（移動局１’の地理情報または移動局１’を取り巻くある場所の地理情報）をＩＰパケットを介してアプリケーション・サーバに送信するを送信するのに使用される。
【０２１１】
本発明の実施形態を上で説明したので、本発明が、上の特定の実施形態に限定されないことを理解されたい。添付の特許請求の範囲によって定義される範囲から逸脱せずに、当業者がさまざまな修正または変更を行うことができる。
【図２】
2011511521.tif 000003
【図３】
2011511521.tif 000004
【図４】
2011511521.tif 000005
【図５】
2011511521.tif 000006
【図６】
2011511521.tif 000007
【図７】
2011511521.tif 000008
【図８】
2011511521.tif 000009
【図９】
2011511521.tif 000010
【図１０】
2011511521.tif 000011
【図１１】
2011511521.tif 000012
【図１】
2011511521.tif 000013
【国際調査報告】
2011511521.tif 000014
2011511521.tif 000015
2011511521.tif 000016
2011511521.tif 000017